(57)【要約】【目的】庭木の剪定等で生じた切枝や葉屑の家庭ごみを、束ねて捨てる迄の作業工程に、箱を使って合理化するのが目的である。【構成】切枝を入れる箱（１）に紐箱（２）を付けた切枝束ね箱を作る。紐（３）を切込み口（９）の上から渡して、引いて押下げ紐（３）を底に下ろしてから、切枝を紐（３）の上に積上げて置き一杯の所で、箱穴の紐（３）を切って左右に、よじって引き上げてから結んで束ねる。【選択図】図１
0003105124.tif 000002
【実用新案登録請求の範囲】
【請求項１】
切枝等を入れる箱を作り、箱の両側に切込みを入れ紐を片側の切り込みの上から差入れて中を通して反対側に引出し、切枝を中の紐の上に積上げてゆく、最後に紐を強く締めながらよじって引上げれば、切枝は圧縮されて箱形固形で出てくるので、紐を結べば切枝の束が簡単に作れる構造の切枝束ね箱である。
【考案の詳細な説明】
【考案の詳細な説明】
【産業上の利用分野】
【０００１】この考案は、庭木の剪定等で生じた切枝を束ねる箱に関するものである。
【背景技術】
【０００２】庭木の切枝は家庭ゴミなので燃えるゴミとして捨てるが、収集側の都合で大きさは限定される。また、収集場所に運び易い大きさになる。そこで、庭木剪定などで出た切枝の作業をみてみると、幾つか改善できる工程がある。
▲１▼切枝を紐の上に置く時、切枝の中心が紐の上に来るのをその都度気使う。
▲２▼切枝を積むとき横に広がるので詰込みにくいし、その分手間と束も増える。
▲３▼切枝の葉や、手折る時に出た葉屑は別の袋に入れる手間と無駄がある。
▲４▼束ねる時、常時使う紐と鋏の置き場所などで無駄な動きと気使いがある。
その他場所をとる等、些細ではあるが切枝の処理には処々に気使いがある。
【考案が解決しようとする課題】
【０００３】それには、切枝を一定の長さと適量を散逸せず、場所をとらずに束ねられる迄の作業を箱を使って考えるのが課題である。
【課題を解決する為の手段】
【０００４】その課題を解決する為の手段は、切枝の長さを一定に，束にする量も加減できる切枝を入れる箱を作る事にある。その箱には、切枝を入れて束ねる迄の工程に拘る全ての条件が整備された箱である。その箱に関する説明は、次の様になる。
▲１▼切枝を入れる箱の両側中央に、上から下に３０ｃｍ程、鋸切で切込みを入れる事で、次の利点が生まれる。
ア）束ねる紐を箱の中を渡して反対側に出して引けば長さを調節できる。
イ）紐を引けば、紐の位置は必ず箱の中央に来るので、紐の上に置いた切枝は真ん中で束ねられることになり偏らず持ち易い。
ウ）途中で仮結びをするような時は、両手の紐を交叉させれば切込みの中を紐が下がって切枝を押さえ易い。又引上げる時はよじって引っ張れば上げ易い。
▲２▼次に切枝の箱に取付ける巻き紐を入れる箱である。この箱の特徴は、箱の上側の中央に紐を通す穴を開ける事と、取付け取り外しができるような、つくりをしている２点にある。その利点は、次の通りである。
ア）紐を引けば穴から出易く、絡まらず、作業がし易い。
イ）取付け、取り外しが出来るので、使用しない時は外して他の用途にも利用できる。
▲３▼最後に切枝の束ね作業に拘る、４つの補完的な部分を切枝の箱に施して作業をし易くしてある。
ア）鋏を入れるものを紐箱の傍らに付ける。
イ）詰め込んだ切枝の束を引き上げる時に、箱が一緒に上がるのを抑える為の足掛けと、箱の脚（底が地面に付かぬ為）の兼用である。
ウ）箱の構造を利用して底に葉ゴミを受ける引出しを作る。
エ）作業終了後、箱の中や引出し等を掃く卓上用箒を下げるものを付ける。
【作用】
【０００５】本考案は、箱という構造を考えた結果、次のような幾つかの効果が生まれた。
先ず、箱の周囲に、この一連の作業工程に関する、必需品を取付けた事により移動しないで、場所もとらずに用を足せるようにしたので作業が効率化した。
次いで、技術的には箱の両側中央に上から紐を渡して通す切込みを入れたので紐を引いて張れば紐は自然に箱中央、切枝の真ん中に来てるので枝を積重ねるだけでいい。更にこの箱は、束ねる切枝の量を、押込んで詰められるので葉や屑などを切枝の間に入れて束ねても、圧縮されている為にこぼれ落ちない効果もあった。また、ときには葉屑などの入れ物としても使える。
【実施例】
【０００６】以下、本案の実施例について説明する。
この考案は、構成から３つに大別される。（Ａ）切枝を入れる箱、（Ｂ）巻き紐を入れる箱、（Ｃ）工程に拘る４つの必需品である。以下順に説明する。尚、材料や寸法は、本試作品の例で説明する。
先ず母体になる（Ａ）の箱の作り方を説明する。この箱は切枝を入れて押込む事を考慮して頑丈に作らねばならない。杉板▲１▼〜▲３▼（横１８ｃｍ、厚さ１３ｍｍ）、ベニア板▲４▼、▲５▼（厚さ３ｍｍ）は共通の寸法なので以下の説明では省く。
▲１▼箱の前側の全高は上〜３３，５ｃｍであり、以下のスペースは引出し口となる。
▲２▼箱の後側の全高４０ｃｍであるが、引出しがあるので正味３７，５ｃｍである。
▲３▼箱の底側の全長は２９、３ｃｍであるが、正味２８ｃｍである。然し、３０ｃｍ程が最適。
▲４▼箱の左側の横全長は３０ｃｍ、縦４１，５ｃｍ（ベニア板中央上から鋸で３０ｃｍ切込む）
▲５▼箱の右側の横全長は３０ｃｍ、縦４１，５ｃｍ（ベニア板中央上から鋸で３０ｃｍ切込む）
組み立て順序を説明する。（Ａ）の箱は、木ねじと一部木工用ボンド及び両面テープを使用して接合している。
最初に、▲３▼の底板を▲２▼の後板と▲４▼、▲５▼の左右のベニア板（切込みを上側）で囲むように貼り合わせる。次いで、▲１▼の前板を▲４▼、▲５▼のベニア板の前側の間に挟んで上にあわせて貼り合わせれば、（Ａ）切枝を入れる箱だけは出来上がる。
続いて、（Ａ）に取付ける（Ｂ）巻き紐を入れる箱の材料、寸法など簡単に説明する。
ここで、使用する材料は、厚さ３ｍｍのベニア板、５ｍｍ平方の角材、ジョイナーコであり接着剤は木工用ボンドである。又、作るに当っては、巻き紐が入る程度の箱だと、ひっかかる事がある。品物より２ｃｍぐらい高目にした方が出易いようである。
▲１▼天井（奥行き１０ｃｍ、横１３、６ｃｍ）−−−箱の真ん中に紐穴を開けておく。
▲２▼両側（奥行き１０ｃｍ、高さ１５ｃｍ）−−−落とし蓋用ジョイナーコが手前左右に付く。
▲３▼底（奥行き１０，５ｃｍ、横１３，６ｃｍ）−−−落とし蓋止め用に手前側５ｍｍ出ている。
▲４▼落とし蓋（高さ１５ｃｍ、横１３，４ｃｍ）−−−▲２▼の前側が巻き紐を入れる入口。
▲５▼後（背）側（高さ１６ｃｍ、横１４，６ｃｍ）−−−両側と下側に差込むスペースがある。
貼り合わせる手順は最初に、▲１▼の天井に紐が出易い大きさに穴を開けておき、次に▲２▼の両側の板にジョイナーコをそれぞれ５ｍｍだして貼っておく。更に▲４▼の落とし蓋を作って置く。その後に、角材にベニア板、▲１▼、▲２▼、▲３▼を貼って周囲を作る。最後に▲５▼の後（背）板を貼って（Ｂ）巻き紐箱ができる。
巻き紐を入れる箱が出来たら、（Ａ）切枝の箱の右側の切込み線上に（Ｂ）紐箱の穴が来る位置に、底から３ｃｍ程上げてジョイナーコを貼り、両側の位置を確認後、両側にジョイナーコを貼リ（Ｂ）紐箱を（Ａ）切枝入れ箱に差し込めば主要部完成。最後に切枝の工程に関する補助的な４個の部分である。これ等が切枝の箱に付いている事で、更に、作業を円滑にしている。（  ）内は符号である。
▲１▼鋏を入れる物を紐箱の傍らに付けて備える。（７）
▲２▼箱に切枝等を詰め込み過ぎると、紐を引上げた時、箱も一緒に上がるので箱の四隅に脚兼足掛けにＬ字止め金を付ければ、切枝等を引き上げる時に、手を箱前に添えて上げれば、大した力も要らず箱から出す事ができる。（５）
▲３▼箱に組立てる過程で箱前に開けておいた部分５ｃｍを引出しに活用する。（４）
▲４▼作業終了後、箱の中や引出しを掃く卓上箒を下げる物を後側に付ける。（８）
＊箱の持ち手は各種あるので省略する。
【考案の効果】
【０００７】切枝束ね箱に、切枝を手折って箱の中の紐の上に積み上げて詰め込んでゆき一杯になったら、傍らに付いている鋏で紐を切り、左右の紐を引っ張ってよじって引上げれば、切枝は圧縮されて箱形固形で出てくるので結ぶだけである。
切込みのある箱一つで、束ね紐は切枝の中心に何時も来るし、場所もとらず、葉などが箱の外への散逸も殆ど無く、箱に付けた備品、道具で移動しないで簡潔に作業ができる。大きさや形もほぼ一定しているので運び易いなどの効果が上がった。その上に束ねるのが楽しくなった。
【図面の簡単な説明】
【図１】紐を引出した切枝束ね箱の右斜視図である。
【図２】紐を引出した切枝束ね箱の正面図である。
【図３】紐を引出した切枝束ね箱の鳥瞰図である。
【図４】紐箱を外した切枝束ね箱の右側面図である。
【符号の説明】
１  切枝を入れる箱
２  巻き紐を入れる箱
３  紐
４  引出し
５  箱の脚兼足掛け
６  ジョイナーコ（紐箱取付け用）
７  ジョイナーコ（鋏掛け用）
８  卓上箒掛け
９  切込み口（紐渡し差込口）
【図１】
0003105124.tif 000003
【図２】
0003105124.tif 000004
【図３】
0003105124.tif 000005
【図４】
0003105124.tif 000006